(57)【要約】【課題】従来の組織販売情報通信システムは社会の情報通信基盤が未発達の時期に形成された概念に基づき組織販売を情報通信システム化したものであり情報基盤が成熟化し国際化した現状に対応し、総合的に絶えず発展成長して行く事を考慮されたものではなかった。この発明は、これを解決し国際情報化経済社会の情報通信基盤に適応した組織販売情報通信システムを提供することを課題とする。【解決手段】本発明は階層構造数式化手段と階層構造文書化手段と階層構造体系化手段とを具備することを特徴とする組織販売情報通信基盤システムである。これにより急激な社会構造改革の中で、複雑に変化する販売構造を持つ組織販売において経済社会の要求に対応出来ない状況が、大きく改善され更に従来にない強力な問題解決力を内在した業界の共通基盤となるシステムが提供される。国際情報化経済社会の情報通信基盤に適応し、問題解決に大きく寄与する発明である。【選択図】図１
2008299828.tif 000002
【特許請求の範囲】
【請求項１】
階層構造数式化手段と階層構造文書化手段と階層構造体系化手段とを具備することを特徴とする組織販売情報通信基盤システム
【請求項２】
階層構造生成手段を具備することを特徴とする請求項１記載の組織販売情報通信基盤システム
【請求項３】
階層構造表現手段を具備することを特徴とする請求項１記載の組織販売情報通信基盤システム
【請求項４】
階層構造分析手段を具備することを特徴とする請求項１記載の組織販売情報通信基盤システム
【請求項５】
階層構造認証手段を具備することを特徴とする請求項１記載の組織販売情報通信基盤システム
【請求項６】
階層構造登録手段を具備することを特徴とする請求項１記載の組織販売情報通信基盤システム
【請求項７】
階層構造構成要素生成手段を具備することを特徴とする請求項１記載の組織販売情報通信基盤システム
【請求項８】
階層構造構成要素分析手段を具備することを特徴とする請求項１記載の組織販売情報通信基盤システム
【請求項９】
法務対応手段を具備することを特徴とする請求項１記載の組織販売情報通信基盤システム
【請求項１０】
補償対応手段を具備することを特徴とする請求項１記載の組織販売情報通信基盤システム
【請求項１１】
保障対応手段を具備することを特徴とする請求項１記載の組織販売情報通信基盤システム
【請求項１２】
保証対応手段を具備することを特徴とする請求項１記載の組織販売情報通信基盤システム
【請求項１３】
医療福祉対応手段を具備することを特徴とする請求項１記載の組織販売情報通信基盤システム
【請求項１４】
農水家畜対応手段を具備することを特徴とする請求項１記載の組織販売情報通信基盤システム
【請求項１５】
健康食品対応手段を具備することを特徴とする請求項１記載の組織販売情報通信基盤システム
【請求項１６】
物件情報対応手段を具備することを特徴とする請求項１記載の組織販売情報通信基盤システム
【請求項１７】
物品情報対応手段を具備することを特徴とする請求項１記載の組織販売情報通信基盤システム
【請求項１８】
教育対応手段を具備することを特徴とする請求項１記載の組織販売情報通信基盤システム
【請求項１９】
モデル化手段を具備することを特徴とする請求項１記載の組織販売情報通信基盤システム
【請求項２０】
シミュレーション手段を具備することを特徴とする請求項１記載の組織販売情報通信基盤システム
【請求項２１】
統計分析手段を具備することを特徴とする請求項１記載の組織販売情報通信基盤システム
【請求項２２】
経済評価対応手段を具備することを特徴とする請求項１記載の組織販売情報通信基盤システム
【請求項２３】
社会評価対応手段を具備することを特徴とする請求項１記載の組織販売情報通信基盤システム
【請求項２４】
環境評価対応手段を具備することを特徴とする請求項１記載の組織販売情報通信基盤システム
【請求項２５】
表現形成体生成手段を具備することを特徴とする請求項１記載の組織販売情報通信基盤システム
【請求項２６】
組織販売情報通信基盤構築手段を具備することを特徴とする請求項１記載の組織販売情報通信基盤システム
【請求項２７】
手段間相互連携手段を具備することを特徴とする請求項１記載の組織販売情報通信基盤システム
【発明の詳細な説明】
【技術分野】
【０００１】  この発明は、組織販売情報通信基盤システムに関する。
【背景技術】
【０００２】  従来の組織販売情報通信システムは社会の情報通信基盤が未発達の時期に形成された概念に基づき、組織販売を情報通信システム化したものである。
【発明の開示】
【発明が解決しようとする課題】
【０００３】  しかしながら、以上の技術によれば、情報基盤が成熟化し国際化した現状に対応し、総合的に絶えず発展成長して行く事を考慮されたものではなかった。急激な社会構造改革の中で、複雑に変化する販売構造を持つ組織販売において経済社会の要求に対応出来ない状況となって来た。特に、消費者保護の立場から問題が多発する組織販売業界を監督官庁が行政的に指導する場合の指針となる様に情報理論に基づき適合化するシステムの概念がなかった。又、情報資本主義社会において金融の投融資をする立場から見て作られたものはなかった。そこで、この発明は、これを解決し国際情報化経済社会の情報通信基盤に適応した組織販売情報通信基盤システムを提供することを課題とする。
【課題を解決するための手段】
【０００４】  以上の課題を解決するために、第１の発明は、階層構造数式化手段と階層構造文書化手段と階層構造体系化手段とを具備することを特徴とする組織販売情報通信基盤システムである。
第２の発明は、階層構造生成手段を具備することを特徴とする請求項１記載の組織販売情報通信基盤システムである。
第３の発明は、階層構造表現手段を具備することを特徴とする請求項１記載の組織販売情報通信基盤システムである。
第４の発明は、階層構造分析手段を具備することを特徴とする請求項１記載の組織販売情報通信基盤システムである。
第５の発明は、階層構造認証手段を具備することを特徴とする請求項１記載の組織販売情報通信基盤システムである。
第６の発明は、階層構造登録手段を具備することを特徴とする請求項１記載の組織販売情報通信基盤システムである。
第７の発明は、階層構造構成要素生成手段を具備することを特徴とする請求項１記載の組織販売情報通信基盤システムである。
第８の発明は、階層構造構成要素分析手段を具備することを特徴とする請求項１記載の組織販売情報通信基盤システムである。
第９の発明は、法務対応手段を具備することを特徴とする請求項１記載の組織販売情報通信基盤システムである。
第１０の発明は、補償対応手段を具備することを特徴とする請求項１記載の組織販売情報通信基盤システムである。
第１１の発明は、保障対応手段を具備することを特徴とする請求項１記載の組織販売情報通信基盤システムである。
第１２の発明は、保証対応手段を具備することを特徴とする請求項１記載の組織販売情報通信基盤システムである。
第１３の発明は、医療福祉対応手段を具備することを特徴とする請求項１記載の組織販売情報通信基盤システムである。
第１４の発明は、農水家畜対応手段を具備することを特徴とする請求項１記載の組織販売情報通信基盤システムである。
第１５の発明は、健康食品対応手段を具備することを特徴とする請求項１記載の組織販売情報通信基盤システムである。
第１６の発明は、物件情報対応手段を具備することを特徴とする請求項１記載の組織販売情報通信基盤システムである。
第１７の発明は、物品情報対応手段を具備することを特徴とする請求項１記載の組織販売情報通信基盤システムである。
第１８の発明は、教育対応手段を具備することを特徴とする請求項１記載の組織販売情報通信基盤システムである。
第１９の発明は、モデル化手段を具備することを特徴とする請求項１記載の組織販売情報通信基盤システムである。
第２０の発明は、シミュレーション手段を具備することを特徴とする請求項１記載の組織販売情報通信基盤システムである。
第２１の発明は、統計分析手段を具備することを特徴とする請求項１記載の組織販売情報通信基盤システムである。
第２２の発明は、経済評価対応手段を具備することを特徴とする請求項１記載の組織販売情報通信基盤システムである。
第２３の発明は、社会評価対応手段を具備することを特徴とする請求項１記載の組織販売情報通信基盤システムである。
第２４の発明は、環境評価対応手段を具備することを特徴とする請求項１記載の組織販売情報通信基盤システムである。
第２５の発明は、表現形成体生成手段を具備することを特徴とする請求項１記載の組織販売情報通信基盤システムである。
第２６の発明は、組織販売情報通信基盤構築手段を具備することを特徴とする請求項１記載の組織販売情報通信基盤システムである。
第２７の発明は、手段間相互連携手段を具備することを特徴とする請求項１記載の組織販売情報通信基盤システムである。
【発明の効果】
【０００５】  前記第１から第２７までの各発明によれば、情報基盤が成熟化し国際化した現状に対応し、総合的に絶えず発展成長して行く事を考慮されたシステムの提供が可能となる。急激な社会構造改革の中で、複雑に変化する販売構造を持つ組織販売において経済社会の要求に対応出来ない状況が、大きく改善され、更に、強力な問題解決力を内在したシステムが提供される。特に、消費者保護の立場から問題が多発する組織販売業界を監督官庁が行政的に指導する場合の指針となる様に情報理論に基づき適合化するシステムが提供される。又、情報資本主義社会において金融の投融資をする立場から見て作られたシステムが提供され、国際情報化経済社会の情報通信基盤に適応した組織販売情報通信システムが提供され、問題解決に大きく寄与する。
【発明を実施するための最良の形態】
【０００６】  第１の発明の実施形態を、図１に示す。
第１の発明は、階層構造数式化手段１と階層構造文書化手段２と階層構造体系化手段３とを具備することを特徴とする組織販売情報通信基盤システム４である。階層構造数式化手段１は階層的販売構造が数学的構造式化され情報化される様に構成される。数学的構造式アルゴリズムの記述は規則化され図式化され情報化され標準化される。階層的販売構造を持つ組織販売の販売員の階級、連鎖等の関係が前記のように数学的構造式化される。数学的構造式化はＸＭＬ等の情報通信言語を用いて記述してもよい。階層構造文書化手段２は階層的販売構造が規則化された文言や文法に従って文書化され情報化される様に構成される。階層構造数式化手段１により数学的構造式化された階層的販売構造が階層構造文書化手段２により規則化された文言や文法に従って文書化される。
又、逆に、規則化された文言や文法に従って文書化された階層的販売構造が数学的構造式化され情報化される。階層構造体系化手段３は階層的販売構造の数学的構造式が分析され分類されて体系化され情報化される様に構成される。組織販売業界において例えばバイナリーやユニレベル等と呼称される構造体系に分類され体系化され情報化される。データーベース化に適応する様に体系化され情報化される。階層構造数式化手段１、階層構造文書化手段２及び階層構造体系化手段３は前記の通り機能する様にコンピュータやインターネット等の情報通信手段等適応した手段を具備して構成する。前記、第１の発明の構成による機能により、以下の各発明は、適切に機能する様に構成される。
第２、第３、第４、第５、第６、第７、第８の発明の実施形態を図２に示す。
第２の発明は、階層構造生成手段５を具備することを特徴とする請求項１記載の組織販売情報通信基盤システム４である。階層構造生成手段５は階層構造が手動的又は自動的に生成され情報化される様に構成される。構成要素入力や質疑応答入力により手動的又は自動的に階層構造が生成される様に構成される。
第３の発明は、階層構造表現手段６を具備することを特徴とする請求項１記載の組織販売情報通信基盤システム４である。階層構造表現手段６は階層構造が二次元的や三次元的に文字又は画像表現、音声表現、音響表現又は触感表現等の情報表現手段により表現される様に構成される。又、情報表現が情報表現生成体として腕時計、懐中時計、置時計、天球儀、宝石、勲章、宝石加工品、指輪、腕輪、ペンダント等の宝飾品、陶磁器、絵画、彫刻等の高級美術工芸品やカード、紙幣、貨幣、貴金属貨幣、有価証券、信用状、債券等の経済信用保証体の形態として表現生成される様に構成してもよい。マイレージ等のポイント形態としての表現生成であってもよい。
第４の発明は、階層構造分析手段７を具備することを特徴とする請求項１記載の組織販売情報通信基盤システム４である。階層構造分析手段７は階層構造を分析する為の各種分析手法や情報処理手法により構成される。階層構造分析手段７によりマーケット分析等流通状況等分析が可能となり、構造の変更等状況対応の指針を示すことが可能となる。
第５の発明は、階層構造認証手段８を具備することを特徴とする請求項１記載の組織販売情報通信基盤システム４である。階層構造認証手段８は、認証規定に従って提示された階層構造の状況を判断し適合した場合は認証を行う様に構成される。
第６の発明は、階層構造登録手段９を具備することを特徴とする請求項１記載の組織販売情報通信基盤システム４である。階層構造登録手段９は登録規定に従って提示された階層構造の状況を判断し適合した場合は登録を行う様に構成される。
第７の発明は、階層構造構成要素生成手段１０を具備することを特徴とする請求項１記載の組織販売情報通信基盤システム４である。階層構造構成要素生成手段１０は、階層構造構成要素生成規定を定め、その規定に従ったアルゴリズムにより構成要素を、情報通信手段を用いて情報化し情報生成する様に構成される。
第８の発明は、階層構造構成要素分析手段１１を具備することを特徴とする請求項１記載の組織販売情報通信基盤システム４である。階層構造構成要素分析手段１１は、階層構造構成要素分析規定を定め、その規定に従ったアルゴリズムにより構成要素を、情報通信手段を用いて情報化し情報分析する様に構成される。
第９、第１０、第１１、第１２、第１３、第１４、第１５の発明の実施形態を図３に示す。
第９の発明は、法務対応手段１２を具備することを特徴とする請求項１記載の組織販売情報通信基盤システム４である。法務対応手段１２は、法務対応規定を定め、その規定に従ったアルゴリズムにより構成要素や情報通信構造を、情報通信手段を用いて情報化して情報分析し、諸法規に対する適否を判別し情報通信的対応が成される様に構成される。
第１０の発明は、補償対応手段１３を具備することを特徴とする請求項１記載の組織販売情報通信基盤システム４である。補償対応手段１３は補償規定に従って状況を判断し、それに応じて補償対応する様に構成される。
第１１の発明は、保障対応手段１４を具備することを特徴とする請求項１記載の組織販売情報通信基盤システム４である。保障対応手段１４は、保障規定に従って状況を判断し、それに応じて保障対応する様に構成される。
第１２の発明は保証対応手段１５を具備することを特徴とする請求項１記載の組織販売情報通信基盤システム４である。保証対応手段１５は、保証規定に従って状況を判断し、それに応じて保証対応する様に構成される。
第１３の発明は、医療福祉対応手段１６を具備することを特徴とする請求項１記載の組織販売情報通信基盤システム４である。医療福祉対応手段１６は、医療福祉対応規定に従って状況を判断し、それに応じて医療福祉対応する様に構成される。
第１４の発明は、農水家畜対応手段１７を具備することを特徴とする請求項１記載の組織販売情報通信基盤システム４である。農水家畜対応手段１７は、農水家畜対応規定に従って状況を判断し、それに応じて医療福祉対応する様に構成される。
第１５の発明は、健康食品対応手段１８を具備することを特徴とする請求項１記載の組織販売情報通信基盤システム４である。健康食品対応手段１８は、健康食品対応規定に従って状況を判断し、それに応じて健康食品対応する様に構成される。
第１６、第１７、第１８、第１９、第２０、第２１の発明の実施形態を図４に示す。
第１６の発明は、物件情報対応手段１９を具備することを特徴とする請求項１記載の組織販売情報通信基盤システム４である。物件情報対応手段１９は、物件情報対応規定に従って状況を判断し、それに応じて物件情報対応する様に構成される。
第１７の発明は、物品情報対応手段２０を具備することを特徴とする請求項１記載の組織販売情報通信基盤システム４である。物品情報対応手段２０は、物品情報対応規定に従って状況を判断し、それに応じて物品情報対応する様に構成される。
第１８の発明は、教育対応手段２１を具備することを特徴とする請求項１記載の組織販売情報通信基盤システム４である。教育対応手段２１は、教育対応規定に従って状況を判断し、それに応じて教育対応する様に構成される。
第１９の発明は、モデル化手段２２を具備することを特徴とする請求項１記載の組織販売情報通信基盤システム４である。モデル化手段２２は、階層構造モデル化規定を定め、その規定に従ったアルゴリズムにより組織構造や構成要素を、情報通信手段を用いて情報化しモデル化する様に構成される。
第２０の発明は、シミュレーション手段２３を具備することを特徴とする請求項１記載の組織販売情報通信基盤システム４である。シミュレーション手段２３は、階層構造シミュレーション規定を定め、その規定に従ったアルゴリズムにより階層構造、組織構造、構成要素を、情報通信手段を用いて情報化しシミュレーションを行う様に構成される。
第２１の発明は、統計分析手段２４を具備することを特徴とする請求項１記載の組織販売情報通信基盤システム４である。統計分析手段２４は、統計分析規定を定め、その規定に従ったアルゴリズムにより階層構造、組織構造、構成要素を、情報通信手段を用いて情報化し統計分析を行う様に構成される。
第２２、第２３、第２４、第２５、第２６、第２７の発明の実施形態を図５に示す。
第２２の発明は、経済評価対応手段２５を具備することを特徴とする請求項１記載の組織販売情報通信基盤システム４である。経済評価対応手段２５は、経済評価対応規定を定め、その規定に従ったアルゴリズムにより階層構造、組織構造、構成要素を、情報通信手段を用いて情報化し経済評価対応を行う様に構成される。
第２３の発明は、社会評価対応手段２６を具備することを特徴とする請求項１記載の組織販売情報通信基盤システム４である。社会評価対応手段２６は、社会評価対応規定を定め、その規定に従ったアルゴリズムにより階層構造、組織構造、構成要素を、情報通信手段を用いて情報化し社会評価対応を行う様に構成される。
第２４の発明は、環境評価対応手段２７を具備することを特徴とする請求項１記載の組織販売情報通信基盤システム４である。環境評価対応手段２７は、環境評価対応規定を定め、その規定に従ったアルゴリズムにより階層構造、組織構造、構成要素を、情報通信手段を用いて情報化し環境評価対応を行う様に構成される。
第２５の発明は、表現形成体生成手段２８を具備することを特徴とする請求項１記載の組織販売情報通信基盤システム４である。表現形成体生成手段２８は情報表現が情報表現生成体として表現生成される様に構成される。腕時計、懐中時計、置時計、天球儀、宝石、勲章、宝石加工品、指輪、腕輪、ペンダント等の宝飾品、陶磁器、絵画、彫刻等の高級美術工芸品やカード、紙幣、貨幣、貴金属貨幣、有価証券、信用状、債券等の経済信用保証体の形態として表現生成される様に構成してもよい。マイレージ等のポイント形態としての表現生成であってもよい。
第２６の発明は、組織販売情報通信基盤構築手段２９を具備することを特徴とする請求項１記載の組織販売情報通信基盤システム４である。組織販売情報通信基盤構築手段２９は、組織販売情報通信基盤システム自体に組織販売情報通信基盤を構築する構築手段が内在し運用に従って自動的に組織販売情報通信基盤が構築される様に構成される。
第２７の発明は、手段間相互連携手段３０を具備することを特徴とする請求項１記載の組織販売情報通信基盤システム４である。手段間相互連携手段３０は各手段間相互に連携する様に構成され、各手段の機能が適切に維持され、常に向上する様に構成される。【０００７】「実施形態の効果」
図１の実施形態によれば、第１の発明が示され、階層構造数式化手段１と階層構造文書化手段２と階層構造体系化手段３とを具備することを特徴とする組織販売情報通信基盤システム４が提供される。階層構造数式化手段１は階層的販売構造が数学的構造式化され情報化される様に構成される。数学的構造式アルゴリズムの記述は規則化され図式化され情報化され標準化される。階層的販売構造を持つ組織販売の販売員の階級、連鎖等の関係が前記のように数学的構造式化される。数学的構造式化はＸＭＬ等の情報通信言語を用いて記述してもよい。規則化、図式化、情報化、標準化されることにより階層構造の文書化や階層構造の体系化が容易となり、又、階層構造の文書化や体系化においても、同様、規則化、図式化、情報化、標準化が行われ、規定された規則に従って情報処理される。階層構造文書化手段２は階層的販売構造が規則化された文言や文法に従って文書化され情報化される様に構成される。階層構造数式化手段１により数学的構造式化された階層的販売構造が階層構造文書化手段２により規則化された文言や文法に従って文書化される。又、逆に規則化された文言や文法に従って文書化された階層的販売構造が数学的構造式化され情報化される。規則に従って組織販売の契約書等が文書化され、規則化された文書の文章や文章の配列、文言等によって階層構造の内容が数学的又は情報処理的に変換表現が可能となり、数学的又は情報処理的に対応された文書として表現される。
本発明により、従来なかった文書表現の規則化、標準化が行われる。組織販売の契約文書は厳密な法務対応が求められるが、論理的に明確となり、情報化されているのでコンピュータ等の情報手段による即時的問題解決による適切な対応が可能となる為、より適切な行政指導や消費者対応が可能となる。複雑に多様化し、社会問題化要因を内在した現在の組織販売業界において、明確な問題提起が可能となり、組織販売業界の健全な発展に寄与する。
階層構造体系化手段３は階層的販売構造の数学的構造式が分析され分類されて体系化され情報化される様に構成される。組織販売業界において例えばバイナリーやユニレベル等と呼称される構造体系に分類化されている現状であるが、論理的に体系化され情報化される。この為、データーベース化に適応する様に体系化され情報化される。階層構造数式化手段１、階層構造文書化手段２及び階層構造体系化手段３は前記の通り機能する様にコンピュータやインターネット等の情報通信手段等適応した手段を具備して構成される。前記の通り、各手段が論理的に機能することにより、情報基盤が成熟化し国際化した現状に対応し、総合的に絶えず発展成長して行く事を考慮されたシステムの提供が可能となる。急激な社会構造改革の中で、複雑に変化する販売構造を持つ組織販売において経済社会の要求に対応出来ない状況が、大きく改善され、更に、強力な問題解決力を内在したシステムが提供される。特に、消費者保護の立場から問題が多発する組織販売業界を監督官庁が行政的に指導する場合の指針となる様に情報理論に基づき適合化するシステムが提供される。又、情報資本主義社会において金融の投融資をする立場から見て作られたシステムが提供され、国際情報化経済社会の情報通信基盤に適応した組織販売情報通信システムが提供され、問題解決に大きく寄与する。前記、第１の発明の構成による機能により、以下の各発明は、適切に機能する様に構成される。
第２、第３、第４、第５、第６、第７、第８の発明の実施形態を図２に示す。
第２の発明は、階層構造生成手段５を具備することを特徴とする請求項１記載の組織販売情報通信基盤システム４である。階層構造生成手段５は階層構造が手動的又は自動的に生成され情報化される様に構成される。構成要素入力が画面入力や質疑応答入力により、手動的又は自動的に階層構造が生成される様に構成してもよい。階層構造の種類を設定し、構成要素を入力すると階層構造が生成される。構成要素自体を自動生成して、これにより階層構造を生成する様にすると、モデル階層構造が生成されることになる。階層構造を規則に従って自由自在に生成することによりモデル化、シミュレーションに有効である。
第３の発明は、階層構造表現手段６を具備することを特徴とする請求項１記載の組織販売情報通信基盤システム４である。階層構造表現手段６は階層構造が二次元的や三次元的に文字又は画像表現、音声表現、音響表現又は触感表現等の情報表現手段により表現される様に構成される。又、情報表現が情報表現生成体として腕時計、懐中時計、置時計、天球儀、宝石、勲章、宝石加工品、指輪、腕輪、ペンダント等の宝飾品、陶磁器、絵画、彫刻等の高級美術工芸品やカード、紙幣、貨幣、貴金属貨幣、有価証券、信用状、債券等の経済信用保証体の形態として表現生成される様に構成してもよい。マイレージ等のポイント形態としての表現生成であってもよい。組織販売の階層構造表現は重要であり特に構成要素の販売員が、どの位置に所属し、どの様に活動したか等の結果が表現され、これが販売員の活動意欲を増進させ、更に企業への帰属意識を高め、企業価値を高めることになる。組織販売においては、組織への帰属意識が重要である。階層構造が二次元的や三次元的に文字又は画像表現、音声表現、音響表現又は触感表現等の情報表現手段により表現される様に構成されるので、監視上、管理上からも即効的に適切な対応が可能となる。前記の情報表現生成体は五感に直接作用するので、価値意識や所有意識が増進され、販売員の活動意欲を増進し企業価値を高めることになる。従来、組織の階級を示すのに、バッチ等の装飾品の宝石の種類を変えることによって行っていたが、これを階層構造と情報通信的に連動する様に構成すれば、組織の帰属性の増進に寄与することになる。ＩＣタグやユビキタスとして知られた情報通信手段を具備する様に構成してもよい。ＩＣタグやユビキタスの機能により、前述の効果を更に増進させることが可能となる。
第４の発明は、階層構造分析手段７を具備することを特徴とする請求項１記載の組織販売情報通信基盤システム４である。階層構造分析手段７は階層構造を分析する為の各種分析手法や情報処理手法により構成される。階層構造分析手段７によりマーケット分析等流通状況等分析が可能となり、構造の変更等状況対応の指針を示すことが可能となる。
社会の急速な変革期において、企業も社会の激変に対応できる体制が必要となる。特に、組織販売の場合は、階層構造の適否が企業の業績を左右するので、有効な階層構造の分析能力が必要とされる。前記、階層構造分析手段７の機能により、それが達成されるので、企業価値増進に大いに寄与することになる。
第５の発明は、階層構造認証手段８を具備することを特徴とする請求項１記載の組織販売情報通信基盤システム４である。階層構造認証手段８は、認証規定に従って提示された階層構造の状況を判断し適合した場合は認証を行う様に構成される。認証判定の状況、認証の履歴、等級等、認証業務が行われることにより、企業の行動は適正化し発展、企業価値増進に大いに寄与することになる。
第６の発明は、階層構造登録手段９を具備することを特徴とする請求項１記載の組織販売情報通信基盤システム４である。階層構造登録手段９は登録規定に従って提示された階層構造の状況を判断し適合した場合は登録を行う様に構成される。登録登記されることにより、階層構造状況は開示され、閲覧状況も把握される。これにより企業の行動は適正化され企業は発展するので、企業価値増進に大いに寄与することになる。
第７の発明は、階層構造構成要素生成手段１０を具備することを特徴とする請求項１記載の組織販売情報通信基盤システム４である。階層構造構成要素生成手段１０は、階層構造構成要素生成規定を定め、その規定に従ったアルゴリズムにより構成要素を、統計学的手法や情報通信手段を用いて情報化し情報生成する様に構成される。階層構造の構成要素を生成することによりシミュレーションに有効なモデルが形成される。実情のデーターベースから統計学的手法によりサンプリングすることにより構成要素を生成しモデルを構成する様にしてもよい。前記構成要素の生成が即時的に行われることにより、早期に適切な予測が可能となり、社会経済の変化に対応した企業経営が可能となる。
第８の発明は、階層構造構成要素分析手段１１を具備することを特徴とする請求項１記載の組織販売情報通信基盤システム４である。階層構造構成要素分析手段１１は、階層構造構成要素分析規定を定め、その規定に従ったアルゴリズムにより構成要素を、情報通信手段を用いて情報化し情報分析する様に構成される。組織販売において階層構造の構成要素の資質の適否は、組織の発展に対して重要である。早期発見により、不良な資質の要素は排除し優良な資質の要素は増加させる等、階層構造構成要素分析により適切な対応が可能となる。
第９、第１０、第１１、第１２、第１３、第１４、第１５の発明の実施形態を図３に示す。
第９の発明は、法務対応手段１２を具備することを特徴とする請求項１記載の組織販売情報通信基盤システム４である。法務対応手段１２は、法務対応規定を定め、その規定に従ったアルゴリズムにより構成要素や情報通信構造を、情報通信手段を用いて情報化して情報分析し、諸法規に対する適否を判別し情報通信的対応が成される様に構成される。企業経営に順法精神が求められる社会環境の中で、特に組織販売において問題が多発しており善良な経営者や販売員は、その対応に苦慮している。何が良くて、何が何故悪いのか、明確な方針を打ち出すことが重要である。行政、業界、学界等関連領域に統一した基準、共通の物差しが必要である。これにより、監督官庁も、実情に適合した法の運用が可能となり、更に法の不備が見出される時は、法改正等、適切な対応が可能となる。
第１０の発明は、補償対応手段１３を具備することを特徴とする請求項１記載の組織販売情報通信基盤システム４である。補償対応手段１３は補償規定に従って状況を判断し、それに応じて補償対応する様に構成される。金融情報通信的対応により補償対応される。情報通信手段により損失の状況は把握され、適切な補償対応が行われる。これにより企業の信頼を高め企業価値を増進することが可能となる。
第１１の発明は、保障対応手段１４を具備することを特徴とする請求項１記載の組織販売情報通信基盤システム４である。保障対応手段１４は、保障規定に従って状況を判断し、それに応じて保障対応する様に構成される。組織販売においては特に構成員の権利や安全の保障が重要である。又、個人情報保護の保障も重要である。金融情報通信的対応により保障対応される。情報通信手段により保障の状況は把握され、適切な保障対応が行われる。これにより企業の信頼を高め企業価値を増進することが可能となる。
第１２の発明は保証対応手段１５を具備することを特徴とする請求項１記載の組織販売情報通信基盤システム４である。保証対応手段１５は、保証規定に従って状況を判断し、それに応じて保証対応する様に構成される。組織販売においては特に高額商品の保障が重要である。高額商品の割賦販売が行われるが、購入者の信用状況により与信が得られない事がある。高齢化社会において購入者が高齢のため与信が得られず健康器具の購入が不可能になる事例が多発している。階層構造に対応した規則に従って保証を行う様に構成する。例えば組織の階層に対応して上位の構成員が下位の構成員の保証を行う。又、ボーナス配分に応じた分配率に対応した保証分配率を定め、その配分率に従って保証を分割し、上位のボーナス取得構成員が保証を行い、その再保証を行う保証会社等企業団体を設けて対応する。又、事故対応等、運用上の規則が設けられ対応する。金融情報通信的対応により保証対応される。情報通信手段により保証の状況は把握され、適切な保障対応が行われる。これにより企業の信頼を高め企業価値を増進することが可能となる。又、組織構造自体を保証することも極めて重要である。組織販売の企業と、その組織の構成員、即ちディストリビューターは契約関係にあるが、倒産等による企業解散の場合、組織が崩壊する。
構成員が営々として築いた組織が崩壊し生活の基盤も崩壊するのである。組織構造の情報構造の保証を保証会社等の第三者機関が保証する様にすることにより構成員の所属する情報構造は保護され、新規の経営者により組織の運用が再開される。この場合も、金融情報通信的対応により保証対応される。情報通信手段により保証の状況は把握され、適切な保障対応が行われる。これにより企業の信頼を高め企業価値を増進することが可能となる。
第１３の発明は、医療福祉対応手段１６を具備することを特徴とする請求項１記載の組織販売情報通信基盤システム４である。医療福祉対応手段１６は、医療福祉対応規定に従って状況を判断し、それに応じて医療福祉対応する様に構成される。医療福祉関連諸法規の対応した各種医療や各種ケア等の運用が関連する組織販売の対応基準が規定される。適切な対応が行われることにより、企業の信頼を高め企業価値を増進することが可能となる。
第１４の発明は、農水家畜対応手段１７を具備することを特徴とする請求項１記載の組織販売情報通信基盤システム４である。農水家畜対応手段１７は、農水家畜対応規定に従って状況を判断し、それに応じて農水家畜対応する様に構成される。農水家畜対応とは農業対応、水産対応、家畜対応であり、家畜対応にはペット等獣医師関連対応が含まれる。農業生産物、水産生産物やペットケア等組織販売対象となる場合、適合する規定を設け、それぞれ対応する。適切な対応が行われることにより、企業の信頼を高め企業価値を増進することが可能となる。
第１５の発明は、健康食品対応手段１８を具備することを特徴とする請求項１記載の組織販売情報通信基盤システム４である。健康食品対応手段１８は、健康食品対応規定に従って状況を判断し、それに応じて健康食品対応する様に構成される。健康食品の組織販売業界は活発であるが、一方、問題も多発している。効果に対する誇大広告、クレーム処理等、適切な対応が行われることにより、企業の信頼を高め企業価値を増進することが可能となる。
第１６、第１７、第１８、第１９、第２０、第２１の発明の実施形態を図４に示す。
第１６の発明は、物件情報対応手段１９を具備することを特徴とする請求項１記載の組織販売情報通信基盤システム４である。物件情報対応手段１９は、物件情報対応規定に従って状況を判断し、それに応じて物件情報対応する様に構成される。土地建物等の物件情報は、担保価値等、企業の経営資源情報として活用されるべきであるので、これに対し適切な対応が行われることにより、企業の信頼を高め企業価値を増進することが可能となる。
第１７の発明は、物品情報対応手段２０を具備することを特徴とする請求項１記載の組織販売情報通信基盤システム４である。物品情報対応手段２０は、物品情報対応規定に従って状況を判断し、それに応じて物品情報対応する様に構成される。大豆等の穀物市況等、原料の物品情報は、企業の経営資源情報として活用されるべきであるので、これに対し適切な対応が行われることにより、企業の信頼を高め企業価値を増進することが可能となる。
第１８の発明は、教育対応手段２１を具備することを特徴とする請求項１記載の組織販売情報通信基盤システム４である。教育対応手段２１は、教育対応規定に従って状況を判断し、それに応じて教育対応する様に構成される。販売員や従業員の製品教育、販売教育、環境社会教育等、企業活動にとって教育は極めて重要である。これに対し適切な対応が行われることにより、企業の信頼を高め企業価値を増進することが可能となる。
第１９の発明は、モデル化手段２２を具備することを特徴とする請求項１記載の組織販売情報通信基盤システム４である。モデル化手段２２は、階層構浩モデル化規定を定め、その規定に従ったアルゴリズムにより組織構造や構成要素を、情報通信手段を用いて情報化しモデル化する様に構成される。社会の急変に即応出来る様に、予め想定しておくことが重要である。各種モデルを定め、これに対し適切な対応が行われることにより、企業の信頼を高め企業価値を増進することが可能となる。
第２０の発明は、シミュレーション手段２３を具備することを特徴とする請求項１記載の組織販売情報通信基盤システム４である。シミュレーション手段２３は、階層構造シミュレーション規定を定め、その規定に従ったアルゴリズムにより階層構造、組織構造、構成要素を、情報通信手段を用いて情報化しシミュレーションを行う様に構成される。社会の急変に即応出来る様に、予め想定しておくことが重要である。各種モデルを定め、各種場面を想定したシミュレーションを行う。これに対し適切な対応が行われることにより、企業の信頼を高め企業価値を増進することが可能となる。
第２１の発明は、統計分析手段２４を具備することを特徴とする請求項１記載の組織販売情報通信基盤システム４である。統計分析手段２４は、統計分析規定を定め、その規定に従ったアルゴリズムにより階層構造、組織構造、構成要素を、情報通信手段を用いて情報化し統計分析を行う様に構成される。前述のモデル、シミュレーションにとっても、統計分析が必要となる。これに対し適切な対応が行われることにより、企業の信頼を高め企業価値を増進することが可能となる。
第２２、第２３、第２４、第２５、第２６、第２７の発明の実施形態を図５に示す。
第２２の発明は、経済評価対応手段２５を具備することを特徴とする請求項１記載の組織販売情報通信基盤システム４である。経済評価対応手段２５は、経済評価対応規定を定め、その規定に従ったアルゴリズムにより階層構造、組織構造、構成要素を、情報通信手段を用いて情報化し経済評価対応を行う様に構成される。企業の状況が客観的に経済評価される様に経営実態を開示することは、上場企業にとって重要なことである。これに対し適切な対応が行われることにより、企業の信頼を高め企業価値を増進することが可能となる。
第２３の発明は、社会評価対応手段２６を具備することを特徴とする請求項１記載の組織販売情報通信基盤システム４である。社会評価対応手段２６は、社会評価対応規定を定め、その規定に従ったアルゴリズムにより階層構造、組織構造、構成要素を、情報通信手段を用いて情報化し社会評価対応を行う様に構成される。企業の社会的責任を重視する時代となり社会評価に対する迅速な対応が求められる。これに対し適切な対応が行われることにより、企業の信頼を高め企業価値を増進することが可能となる。
第２４の発明は、環境評価対応手段２７を具備することを特徴とする請求項１記載の組織販売情報通信基盤システム４である。環境評価対応手段２７は、環境評価対応規定を定め、その規定に従ったアルゴリズムにより階層構造、組織構造、構成要素を、情報通信手段を用いて情報化し環境評価対応を行う様に構成される。企業の環境的責任を重視する時代となり環境評価に対する迅速な対応が求められる。これに対し適切な対応が行われることにより、企業の信頼を高め企業価値を増進することが可能となる。
第２５の発明は、表現形成体生成手段２８を具備することを特徴とする請求項１記載の組織販売情報通信基盤システム４である。表現形成体生成手段２８は情報表現が情報表現生成体として表現生成される様に構成される。腕時計、懐中時計、置時計、天球儀、宝石、勲章、宝石加工品、指輪、腕輪、ペンダント等の宝飾品、陶磁器、絵画、彫刻等の高級美術工芸品やカード、紙幣、貨幣、貴金属貨幣、有価証券、信用状、債券等の経済信用保証体の形態として表現生成される様に構成してもよい。マイレージ等のポイント形態としての表現生成であってもよい。経済活動や文化活動等活動の成果の表現として表現形成体が表現生成され、又、情報表現が情報表現生成体として表現生成されるが、成果が、より以上に実感出来る様になる。これにより企業活動は、より活性化し企業価値を増進することが可能となる。
第２６の発明は、組織販売情報通信基盤構築手段２９を具備することを特徴とする請求項１記載の組織販売情報通信基盤システム４である。組織販売情報通信基盤構築手段２９は、組織販売情報通信基盤システム自体に組織販売情報通信基盤を構築する構築手段が内在し運用に従って自動的に組織販売情報通信基盤が構築される様に構成される。これにより組織販売情報通信基盤が適切に構築される様になる。組織販売業界の共通基盤が構築され有効情報が共有され業界の健全な発展に大いに寄与することになる。
第２７の発明は、手段間相互連携手段３０を具備することを特徴とする請求項１記載の組織販売情報通信基盤システム４である。手段間相互連携手段３０は各手段間相互に連携する様に構成され、各手段の機能が適切に維持され、常に向上する様に構成され、問題解決や目的達成に大いに寄与することになる。
【図面の簡単な説明】
【０００９】
【図１】この発明の一実施形態を示すブロック図である。
【図２】この発明の一実施形態を示すブロック図である。
【図３】この発明の一実施形態を示すブロック図である。
【図４】この発明の一実施形態を示すブロック図である。
【図５】この発明の一実施形態を示すブロック図である。
【符号の説明】
【００１０】階層構造数式化手段１                  経済評価対応手段２５
階層構造文書化手段２                  社会評価対応手段２６
階層構造体系化手段３                  環境評価対応手段２７
組織販売情報通信基盤システム４        表現形成体生成手段２８
階層構造生成手段５                    組織販売情報通信基盤構築手段２９
階層構造表現手段６                    手段間相互連携手段３０
階層構造分析手段７
階層構造認証手段８
階層構造登録手段９
階層構造構成要素生成手段１０
階層構造構成要素分析手段１１
法務対応手段１２
補償対応手段１３
保障対応手段１４
保証対応手段１５
医療福祉対応手段１６
農水家畜対応手段１７
健康食品対応手段１８
物件情報対応手段１９
物品情報対応手段２０
教育対応手段２１
モデル化手段２２
シミュレーション手段２３
統計分析手段２４
【図１】
2008299828.tif 000003
【図２】
2008299828.tif 000004
【図３】
2008299828.tif 000005
【図４】
2008299828.tif 000006
【図５】
2008299828.tif 000007